(57)【特許請求の範囲】
【請求項１】
物品を被添付体に添付する物品添付装置であって、
被添付体に筒状のシュリンクフィルムを被嵌するフィルム被嵌手段と、
物品を被添付体と共に搬送しながら、被添付体に被嵌されたシュリンクフィルムと被添付体との間に物品を挿入する物品挿入手段と、
被添付体に被嵌され、被添付体との間に物品が挿入されたシュリンクフィルムを加熱収縮させる加熱手段とを備え、
前記物品挿入手段は、
搬送経路を移動している被添付体と所定の対応関係を維持するように、被添付体の搬送と同期を取りながら物品を搬送する物品搬送部と、
この物品搬送部が搬送している物品を、被添付体に被嵌されたシュリンクフィルムと被添付体との間に挿入する物品装入部と
を有していることを特徴とする物品添付装置。
【請求項２】
前記物品挿入手段によって、シュリンクフィルムと被添付体との間に物品を挿入する際、シュリンクフィルムにおける物品挿入位置に対応する部分を被添付体から離反させる離反手段を備えている請求項１に記載の物品添付装置。
【請求項３】
物品を被添付体に添付する物品添付装置であって、
被添付体に筒状のシュリンクフィルムを被嵌するフィルム被嵌手段と、
被添付体に被嵌されたシュリンクフィルムと被添付体との間に物品を挿入する物品挿入手段と、
シュリンクフィルムを加熱収縮させる加熱手段とを備え、
さらに、
シュリンクフィルムと被添付体との間に挿入された物品を位置決めする位置決め手段と、
前記位置決め手段によって物品を位置決めした状態で、筒状のシュリンクフィルムにおける物品に対応する部分を予備的に加熱収縮させる予備加熱手段と
を備えていることを特徴とする物品添付装置。
【請求項４】
物品を被添付体に添付する物品添付装置であって、
被添付体に筒状のストレッチフィルムを被嵌するフィルム被嵌手段と、
被添付体に被嵌されたストレッチフィルムと被添付体との間に部分的に隙間を形成する隙間形成手段と、
物品を被添付体と共に搬送しながら、筒状のストレッチフィルムと被添付体との間に形成された隙間に物品を挿入する物品挿入手段と
を備え、
前記物品挿入手段は、
搬送経路を移動している被添付体と所定の対応関係を維持するように、被添付体の搬送と同期を取りながら物品を搬送する物品搬送部と、
この物品搬送部が搬送している物品を、被添付体に被嵌されたストレッチフィルムと被添付体との間に形成された隙間に挿入する物品装入部と
を有していることを特徴とする物品添付装置。
【発明の詳細な説明】
【技術分野】
【０００１】
この発明は、例えば、ボトルに充填された液体内容物の効能書きをボトルに添付したり、景品やキャンペーン葉書等を商品に添付したりする物品添付装置に関する。
【背景技術】
【０００２】
薬品には、通常、使用上の注意、効能、用法、有効成分等を書き記した「効能書き」と呼ばれる添付文書が添えられており、例えば、ボトル容器等に充填される液体薬品等については、液体薬品が充填されたボトル容器と共に添付文書が個装用の小箱等に収容された状態で出荷、販売されるのが一般的である。
【０００３】
【特許文献１】特開平０６−５８７４９号公報
【発明の開示】
【発明が解決しようとする課題】
【０００４】
ところで、液体薬品には、ボトル容器に充填した状態のままで、市場に流通させることができるものもあり、そういった液体薬品については、添付文書のためだけに小箱に収容するのは、包装資源の無駄遣いになる。従って、こういった液体薬品については、小箱に収容することなく、添付文書をボトル容器に添付した状態で市場に流通させることが望まれている。
【０００５】
そこで、この発明の課題は、種々の被添付体に種々の物品を簡単に添付することができる物品添付装置を提供することにある。
【課題を解決するための手段】
【０００６】
上記の課題を解決するため、請求項１に係る発明は、物品を被添付体に添付する物品添付装置であって、被添付体に筒状のシュリンクフィルムを被嵌するフィルム被嵌手段と、物品を被添付体と共に搬送しながら、被添付体に被嵌されたシュリンクフィルムと被添付体との間に物品を挿入する物品挿入手段と、被添付体に被嵌され、被添付体との間に物品が挿入されたシュリンクフィルムを加熱収縮させる加熱手段とを備え、前記物品挿入手段は、搬送経路を移動している被添付体と所定の対応関係を維持するように、被添付体の搬送と同期を取りながら物品を搬送する物品搬送部と、この物品搬送部が搬送している物品を、被添付体に被嵌されたシュリンクフィルムと被添付体との間に挿入する物品装入部と
を有していることを特徴とする物品添付装置を提供するものである。
【０００７】
また、請求項２に係る発明は、請求項１に係る発明の物品添付装置において、前記物品挿入手段によって、シュリンクフィルムと被添付体との間に物品を挿入する際、シュリンクフィルムにおける物品挿入位置に対応する部分を被添付体から離反させる離反手段を備えていることを特徴としている。
【０００８】
また、請求項３に係る発明は、物品を被添付体に添付する物品添付装置であって、被添付体に筒状のシュリンクフィルムを被嵌するフィルム被嵌手段と、被添付体に被嵌されたシュリンクフィルムと被添付体との間に物品を挿入する物品挿入手段と、シュリンクフィルムを加熱収縮させる加熱手段とを備え、さらに、シュリンクフィルムと被添付体との間に挿入された物品を位置決めする位置決め手段と、前記位置決め手段によって物品を位置決めした状態で、筒状のシュリンクフィルムにおける物品に対応する部分を予備的に加熱収縮させる予備加熱手段とを備えていることを特徴とする物品添付装置を提供するものである。
【０００９】
また、上記の課題を解決するため、請求項４に係る発明は、物品を被添付体に添付する物品添付装置であって、被添付体に筒状のストレッチフィルムを被嵌するフィルム被嵌手段と、被添付体に被嵌されたストレッチフィルムと被添付体との間に部分的に隙間を形成する隙間形成手段と、物品を被添付体と共に搬送しながら、筒状のストレッチフィルムと被添付体との間に形成された隙間に物品を挿入する物品挿入手段とを備え、前記物品挿入手段は、搬送経路を移動している被添付体と所定の対応関係を維持するように、被添付体の搬送と同期を取りながら物品を搬送する物品搬送部と、この物品搬送部が搬送している物品を、被添付体に被嵌されたストレッチフィルムと被添付体との間に形成された隙間に挿入する物品装入部とを有していることを特徴とする物品添付装置を提供するものである。
【発明の効果】
【００１０】
以上のように、請求項１にかかる発明の物品添付装置では、フィルム被嵌手段によって、被添付体に筒状のシュリンクフィルムを被嵌した後、物品挿入手段によって、シュリンクフィルムと被添付体との間に物品を挿入し、加熱手段によって、シュリンクフィルムを加熱収縮させると、収縮したシュリンクフィルムによって、物品が被添付体に確実に添付される。
【００１１】
また、請求項２にかかる発明の物品添付装置では、物品挿入手段によって、シュリンクフィルムと被添付体との間に物品を挿入する際、離反手段によって、シュリンクフィルムにおける物品挿入位置に対応する部分を被添付体から離反させるようになっているので、物品挿入位置において、シュリンクフィルムと被添付体との間の隙間が大きくなり、シュリンクフィルムと被添付体との間に物品を確実に挿入することが可能になる。
【００１２】
また、請求項３にかかる発明の物品添付装置では、位置決め手段によって、シュリンクフィルムと被添付体との間に挿入された物品を位置決めした状態で、予備加熱手段によって、シュリンクフィルムにおける物品に対応する部分を予備的に加熱収縮させるようになっているので、予備収縮されたシュリンクフィルムによって物品が被添付体の所定位置に仮止めされ、最終加熱段階に移行するまでに物品が位置ズレすることがない。
【００１３】
また、請求項４に係る発明の物品添付装置では、フィルム被嵌手段によって、被添付体に筒状のストレッチフィルムを被嵌した後、隙間形成手段によって、ストレッチフィルムと被添付体との間に部分的に隙間を形成した状態で、物品挿入手段によって、ストレッチフィルムと被添付体との間に形成された隙間に物品を挿入し、隙間形成手段による隙間形成を解除すると、収縮したストレッチフィルムによって、物品が被添付体に確実に添付される。
【発明を実施するための最良の形態】
【００１４】
以下、実施の形態について図面を参照して説明する。図１は、液体薬品が充填された胴部が角型のプラスチックボトル（以下、ボトルという。）Ｂに、効能書き（以下、能書という。）を、筒状のシュリンクフィルムからなる拘束フィルムを用いて添付する能書添付装置１を示しており、この能書添付装置１は、所定のボトル搬送経路に沿って設置された、ボトルＢに拘束フィルムを被嵌する拘束フィルム被嵌ユニット２と、ボトルＢに被嵌された拘束フィルムによって能書をボトルＢに仮止めする能書仮止めユニット３と、能書の仮止め状態（拘束フィルムの有無、能書の有無及び位置等）を検査する検査ユニット４と、能書が拘束フィルムによって適正に仮止めされていないボトルＢを排出する排出ユニット５と、能書が適正に仮止めされたボトルＢを加熱することで、拘束フィルムを全体的に熱収縮させてボトルＢに密着させる加熱ユニット６とを備えている。なお、能書は、ボトルＢの背面側に添付されるようになっており、図１２に示すように、ボトルＢの背面側には、能書Ｄを保持している筒状の拘束フィルムＢＦのセンターシール部ＣＳを挟んで２本の縦ミシン目ＭＭが形成されているので、この２本の縦ミシン目ＭＭで拘束フィルムＢＦを帯状に破断することによって、添付された能書Ｄを取り出すことができる。
【００１５】
前記拘束フィルム被嵌ユニット２は、図１及び図２に示すように、フィルム繰出部２ａによって原反ロールから繰り出された長尺の拘束フィルム形成基材Ｆを、マンドレル１１によって開口した後、サークルカッタ１２によって順次切断しながら所定長の拘束フィルムＢＦを形成し、その拘束フィルムＢＦをフィルム被嵌位置αにおいて、ボトルＢの胴部に順次被嵌するようになっており、マンドレル１１の上流側には、複数のダンサーローラを有するアキューム機構１３が設けられている。なお、ボトル搬送コンベア７１によってこの拘束フィルム被嵌ユニット２に導入されるボトルＢは、スクリュー７２によって所定の搬送ピッチに設定された状態で、フィルム被嵌位置αに供給される。
【００１６】
前記能書仮止めユニット３は、図１〜図６に示すように、能書Ｄを能書供給位置βに順次供給する能書供給手段２０と、能書供給位置βに供給された能書ＤをボトルＢと共に搬送しながら、ボトルＢに被嵌された拘束フィルムＢＦとボトルＢとの間に能書Ｄを挿入する能書挿入手段３０と、能書Ｄを拘束フィルムＢＦとボトルＢとの間に挿入する際、拘束フィルムＢＦにおける能書挿入位置に対応する部分をボトルＢから離反させるフィルム離反手段４０と、ボトルＢに被嵌された拘束フィルムＢＦとボトルＢとの間に挿入された能書Ｄを位置決めする能書位置決め手段５０と、ボトルＢに被嵌された拘束フィルムＢＦにおける能書Ｄに対応する部分を予備的に加熱することで、拘束フィルムＢＦを部分的に熱収縮させて、能書ＤをボトルＢに仮止めする予備加熱手段６０とを備えている。
【００１７】
前記能書供給手段２０は、図２に示すように、折り畳まれたシート状の多数の能書が集積されたストッカ２１と、このストッカ２１から能書を取り出して、最後の折目が下を向くように、能書供給位置βに順次送出する能書送出機構２２とを備えており、ストッカ２１は、基本的に能書を立てた状態で載置することができるように略全体が水平に延びているが、その先端側は、集積された能書が水平状態に保持されるように下を向いている。
【００１８】
能書送出機構２２は、図３に示すように、最先端に位置している水平状態の能書Ｄを吸引してストッカ２１から取り出す吸引パッド２３と、能書Ｄを挟み込んで能書供給位置βに送出する、駆動プーリ２５ａ、従動プーリ２５ｂに掛け渡された上側搬送ベルト２５及び駆動プーリ２６ａ、従動プーリ２６ｂに掛け渡された下側搬送ベルト２６からなるベルト搬送部２４と、吸引パッド２３によってストッカ２１から取り出された能書Ｄを下側搬送ベルト２６との間に挟み込んで上側搬送ベルト２５側に送出する送出ローラ２８とを備えており、送出ローラ２８は下側搬送ベルト２６に同期して回転駆動すると共に下側搬送ベルト２６に対して接近離反するようになっている。なお、上側搬送ベルト２５には、テンションローラ２５ｃによって、常時、所定の張力が付与されている。
【００１９】
前記ベルト搬送部２４には、下側搬送ベルト２６の内面側が摺接する、下端部が湾曲したガイドプレート２７が配設されており、そのガイドプレート２７に沿うように、上側搬送ベルト２５と下側搬送ベルト２６とが相互に接触するようになっている。従って、送出ローラ２８によって送出された能書Ｄは、上側搬送ベルト２５及び下側搬送ベルト２６に挟み込まれた状態で、ガイドプレート２７に沿って搬送され、能書供給位置βに供給される。
【００２０】
前記能書挿入手段３０は、図４、図５及び図７に示すように、能書供給位置βに供給された能書Ｄを、ボトル搬送経路を移動しているボトルＢと所定の対応関係を維持するように、ボトル搬送と同期を取りながら搬送する能書搬送部３１と、この能書搬送部３１が搬送している能書Ｄを、ボトルＢに被嵌された拘束フィルムＢＦとボトルＢとの間に挿入する能書装入部３９とを備えている。
【００２１】
前記能書搬送部３１は、図４及び図５に示すように、能書供給位置βにおいて、上方から供給される能書Ｄを受け取って、横方向に案内する断面略Ｌ字状のガイド体３２と、このガイド体３２に沿って能書Ｄを搬送する、駆動プーリ３３ｃ及び従動プーリ３３ｄ、３３ｄに掛け渡された上下一対の搬送ベルト３３、３３と、搬送中の能書Ｄに上部からエアを吹き付けることで、能書ＤをＶ字状に開くエア吹出ノズル３５と、このエア吹出ノズル３５の下流側で、図８に示すように、Ｖ字状に開かれた能書Ｄの上部に入り込む挿入プレート３６と、この挿入プレート３６の下流側において上下一対の搬送ベルト３３、３３間に設置された、入口側が「ハ」字状に広がった前後一対のガイドプレート３７、３７とを備えており、上下一対の搬送ベルト３３、３３には、能書Ｄが当接する多数の突片３３ａが所定ピッチで連設されている。なお、図８は、図４における位置δにおける状態を示している。
【００２２】
また、上側の搬送ベルト３３には、各突片３３ａの右側に複数の吸引孔３３ｂが形成されていると共に、その内面側にエア吹出ノズル３５の手前から挿入プレート３６の左端付近まで延びる吸引ボックス３４が設置されており、エア吹出ノズル３５によってエアを吹き付けることで能書ＤをＶ字状に開く際、図７に示すように、吸引孔部分で能書Ｄの片側が上側の搬送ベルト３３に吸引保持されるようになっている。従って、エア吹出ノズル３５から吹き出されるエアによって、能書Ｄ全体がガイド体３２側に押されることがなく、能書Ｄを確実にＶ字状に開くことができる。なお、図７は、図４における位置γにおける状態を示している。
【００２３】
また、搬送ベルト３３側のガイドプレート３７には、「ハ」字状に広がった入口側に多数の吸引孔が形成されていると共に吸引ボックス３８が連設されており、図９に示すように、能書Ｄがガイドプレート３７の吸引孔部分を通過する際、能書Ｄの片側が、そのガイドプレート３７に吸引され、そのガイドプレート３７に摺接した状態で移動するようになっている。従って、Ｖ字状に開いた能書Ｄの上部に挿入プレート３６が存在しなくなった後も、能書Ｄの上部が閉じ難く、後述する能書装入部３９の押下バー３９ａを能書Ｄに確実に挿入することができる。なお、能書Ｄを載せているガイド体３２は、ガイドプレート３７における吸引孔形成領域の途中までしか存在していないが、ボトルＢに被嵌された拘束フィルムＢＦとボトルＢとの間に能書Ｄが挿入され始めるまでは、能書Ｄがガイドプレート３７に吸引されているので、能書Ｄが脱落することはない。また、図９は、図４における位置εにおける状態を示している。
【００２４】
前記能書装入部３９は、ボトル搬送経路上で各ボトルＢに対応するように、ボトル搬送と同期を取りながら循環移動する、所定ピッチで配設された多数の押下バー３９ａを備えており、図４及び図９に示すように、各押下バー３９ａが、挿入プレート３６の下流側で徐々に降下することで、Ｖ字状に開いた能書Ｄに挿入され、そのまま能書Ｄを押し下げることによって、ボトルＢと拘束フィルムＢＦとの間に能書Ｄを挿入した後、徐々に上昇することによって、ボトルＢと拘束フィルムＢＦとの間に挿入された能書Ｄから抜き取られるようになっている。
【００２５】
前記フィルム離反手段４０は、図４、図６及び図９に示すように、前記能書搬送部３１の駆動プーリ３３ｂの駆動軸に取り付けられた駆動プーリ４１と、拘束フィルムＢＦが被嵌されたボトルＢへの能書Ｄの挿入終了位置に設置された従動プーリ４２と、この駆動プーリ４１及び従動プーリ４２に掛け渡された、多数の吸引孔４３ａを有する無端状のベルト４３と、このベルト４３の内面側に設置された、押下バー３９ａの押下開始位置から押下終了直前位置まで延びる吸引ボックス４４とを備えており、ベルト４３はボトルＢの搬送速度と同速で循環移動するようになっていると共に、吸引ボックス４４は、ベルト４３の摺動面に開口が形成されている。
【００２６】
また、ベルト４３は、ボトルＢに被嵌された拘束フィルムＢＦの上部に対応する高さ位置に設置されており、押下バー３９ａの押下開始位置から押下終了位置に向かって、ベルト４３とボトルＢとの間隔が徐々に大きくなっている。従って、押下バー３９ａの押下動作が開始されると、ボトルＢに被嵌された拘束フィルムＢＦの上部がベルト４３に吸引保持され、ボトルＢから徐々に離反していくので、図９に示すように、能書Ｄの挿入位置における拘束フィルムＢＦの上部とボトルＢとの間の隙間が大きくなり、押下バー３９ａの押下動作によって能書Ｄを確実に拘束フィルムＢＦとボトルＢとの間に挿入することができる。
【００２７】
前記能書位置決め手段５０は、図４、図６及び図１０に示すように、ボトルＢの搬送経路の両側からボトルＢを把持する、押下バー３９ａの押下開始位置に設置された駆動プーリ５１及び能書仮止めユニット３内におけるボトル搬送経路の下流側に設置された図示しない従動プーリに無端状の把持ベルト５２が掛け渡された一対のボトル把持機構を備えており、両ボトル把持機構の把持ベルト５２、５２によって、拘束フィルムＢＦが被嵌されたボトルＢの下部を、拘束フィルムＢＦの外側から把持した状態で、ボトルＢの搬送速度と同速で循環移動するようになっている。従って、能書装入部３９によって、ボトルＢに被嵌された拘束フィルムＢＦとボトルＢとの間に挿入される能書Ｄは、図１０に示すように、把持ベルト５２による把持位置まで押し下げられた状態で位置決めされる。なお、図１０は、図４における位置ζにおける状態を示している。
【００２８】
前記予備加熱手段６０は、図４及び図６に示すように、能書仮止めユニット３内におけるボトル搬送経路の下流側に設置された熱風吹出ノズル６１を備えており、この熱風吹出ノズル６１によって、ボトルＢに被嵌された拘束フィルムＢＦの中間高さ位置に熱風を吹き付けて拘束フィルムＢＦを局部的に熱収縮させることで、図１１に示すように、能書ＤをボトルＢに仮止めするようになっている。
【００２９】
以上のように、この能書添付装置１では、拘束フィルム被嵌ユニット２によって、ボトルＢに筒状の拘束フィルムＢＦを被嵌した後、能書挿入手段３０によって、拘束フィルムＢＦとボトルＢとの間に能書Ｄを挿入し、加熱ユニット６によって、拘束フィルムＢＦを加熱収縮させると、収縮した拘束フィルムＢＦによって、能書ＤをボトルＢに確実に添付することができる。
【００３０】
特に、この能書添付装置１では、能書挿入手段３０によって、拘束フィルムＢＦとボトルＢとの間に能書Ｄを挿入する際、フィルム離反手段４０によって、拘束フィルムＢＦにおける能書挿入位置に対応する部分をボトルＢから離反させるようになっているので、能書挿入位置において、拘束フィルムＢＦとボトルＢとの間の隙間が大きくなり、拘束フィルムＢＦとボトルＢとの間に能書Ｄを確実に挿入することが可能になる。
【００３１】
また、この能書添付装置１では、能書位置決め手段５０によって、拘束フィルムＢＦとボトルＢとの間に挿入された能書Ｄを位置決めした状態で、予備加熱手段６０によって、拘束フィルムＢＦにおける能書Ｄに対応する部分を予備的に加熱収縮させるようになっているので、予備収縮された拘束フィルムＢＦによって能書ＤがボトルＢの所定位置に仮止めされ、加熱ユニット６における最終加熱段階に移行するまでに能書Ｄが位置ズレすることがない。
【００３２】
なお、上述した実施形態では、拘束フィルムＢＦとボトルＢとの間に能書Ｄを挿入する際、フィルム離反手段４０によって、拘束フィルムＢＦにおける能書挿入位置に対応する部分をボトルＢから離反させるようになっているが、拘束フィルムＢＦとボトルＢとの隙間が大きく、ボトルＢの肩部分に沿わせながら能書Ｄを挿入することができるような場合は、必ずしも、フィルム離反手段を設ける必要はない。
【００３３】
また、上述した実施形態では、能書位置決め手段５０によって、拘束フィルムＢＦとボトルＢとの間に挿入された能書Ｄを位置決めした状態で、予備加熱手段６０によって、拘束フィルムＢＦにおける能書Ｄに対応する部分を予備的に加熱収縮させるようになっているが、これに限定されるものではなく、ボトル自体に能書を位置決めする段部が形成されているような場合は、必ずしも、能書位置決め手段５０を設ける必要はなく、予備加熱を省略して、直接、本加熱を行うことも可能である。
【００３４】
また、上述した実施形態では、ボトルＢに能書Ｄを添付する能書添付装置１について説明したが、これに限定されるものではなく、キャンペーンの応募葉書や景品等の各種物品を種々の商品（被添付体）に添付する場合にも、本発明を適用することができることはいうまでもない。
【００３５】
また、上述した実施形態では、筒状のシュリンクフィルムからなる拘束フィルムＢＦを用いてボトルＢに能書Ｄを添付する能書添付装置１について説明したが、これに限定されるものではなく、筒状のストレッチフィルムからなる拘束フィルムを用いて種々の被添付体に各種物品を添付することも可能である。ただし、その場合は、少なくとも、筒状のストレッチフィルムからなる拘束フィルムを被添付体に被嵌するフィルム被嵌手段と、被添付体に被嵌された拘束フィルムと被添付体との間に部分的に隙間を形成する隙間形成手段と、筒状の拘束フィルムと被添付体との間に形成された隙間に物品を挿入する物品挿入手段とを備えている必要がある。
【図面の簡単な説明】
【００３６】
【図１】この発明にかかる物品添付装置の一実施形態である能書添付装置を示す概略平面図である。
【図２】同上の能書添付装置を構成している拘束フィルム被嵌ユニット及び能書仮止めユニット（能書供給手段）を示す概略側面図である。
【図３】同上の拘束フィルム被嵌ユニットに搭載されている能書供給手段（能書送出機構）を示す詳細図である。
【図４】同上の能書仮止めユニットを示す概略側面図である。
【図５】同上の能書仮止めユニットに搭載されている能書挿入手段の能書搬送部を示す概略平面図である。
【図６】同上の能書仮止めユニットに搭載されているフィルム離反手段及び能書位置決め手段を示す概略平面図である。
【図７】同上の能書添付装置における能書の搬送・挿入動作を示す動作説明図である。
【図８】同上の能書添付装置における能書の搬送・挿入動作を示す動作説明図である。
【図９】同上の能書添付装置における能書の搬送・挿入動作を示す動作説明図である。
【図１０】同上の能書添付装置における能書の搬送・挿入動作を示す動作説明図である。
【図１１】同上の能書添付装置によって、能書が仮止めされた状態のボトルを示す側面図である。
【図１２】同上の能書添付装置によって、能書が添付された状態のボトルを示す背面図である。
【符号の説明】
【００３７】
１  能書添付装置（物品添付装置）
２  拘束フィルム被嵌ユニット（フィルム被嵌手段）
３  能書仮止めユニット
４  検査ユニット
５  排出ユニット
６  加熱ユニット（加熱手段）
１１  マンドレル
１２  サークルカッタ
１３  アキューム機構
２０  能書供給手段
２１  ストッカ
２２  能書送出機構
３０  能書挿入手段（物品挿入手段）
３１  能書搬送部
３２  ガイド体
３３  搬送ベルト
３３ａ  突片
３３ｂ  吸引孔
３３ｃ  駆動プーリ
３３ｄ  従動プーリ
３４  吸引ボックス
３５  エア吹出ノズル
３６  挿入プレート
３７  ガイドプレート
３８  吸引ボックス
３９  能書装入部
３９ａ  押下バー
４０  フィルム離反手段（離反手段）
４１  駆動プーリ
４２  従動プーリ
４３  ベルト
４３ａ  吸引孔
４４  吸引ボックス
５０  能書位置決め手段（位置決め手段）
５１  駆動プーリ
５２  把持ベルト
６０  予備加熱手段
６１  熱風吹出ノズル
Ｂ  プラスチックボトル
Ｄ  能書
ＢＦ  拘束フィルム
ＭＭ  ミシン目
【図１】
0004799927.tif 000002
【図２】
0004799927.tif 000003
【図３】
0004799927.tif 000004
【図４】
0004799927.tif 000005
【図５】
0004799927.tif 000006
【図６】
0004799927.tif 000007
【図７】
0004799927.tif 000008
【図８】
0004799927.tif 000009
【図９】
0004799927.tif 000010
【図１０】
0004799927.tif 000011
【図１１】
0004799927.tif 000012
【図１２】
0004799927.tif 000013